(57)【要約】【課題】配索材同士の絡みを防止し、配索材へのダメージを減らせる屈曲可能プロテクタを提供すること。【解決手段】フレキシブルフラット回路体に沿って一列に配列され、その状態で屈曲可能な連鎖状に連結される断面略Ｕ字形の多数のブロック１００を備え、各ブロックには、フレキシブルフラット回路体２０を収容する内底部側の第１の収容スペース１０１と、それよりも上側の、他の電線を含む配索材１０を収容する第２の収容スペース１０２とが設けられている。各ブロックの内底部の両側部には、フレキシブルフラット回路体の両側縁を係合させる係合爪１１４が設けられると共に、各ブロックの内底部中央には、フレキシブルフラット回路体の絶縁体に穿設した係止孔２５を係合させる突起１１５が設けられている。【選択図】図１
2009060731.tif 000002
【特許請求の範囲】
【請求項１】
保護しようとする帯板状のフレキシブルフラット回路体に沿って一列に配列され、その状態で屈曲可能な連鎖状に連結される断面略Ｕ字形の多数のブロックを備え、
前記ブロックの各々には、前記フレキシブルフラット回路体を収容する内底部側の第１の収容スペースと、それよりも上側の、他の電線を含む配索材を収容する第２の収容スペースとが設けられ、
更に前記ブロック各々の内底部には、該ブロックの前記第１の収容スペースに挿入された前記フレキシブルフラット回路体と係合する係合機構が設けられていることを特徴とする屈曲可能プロテクタ。
【請求項２】
前記係合機構が、
前記第１の収容スペースに挿入された前記フレキシブルフラット回路体の両側縁と係合するために前記ブロック各々の内底部の両側部に形成された係合爪と、
前記フレキシブルフラット回路体の絶縁体に穿設した係止孔と係合するために前記ブロック各々の内底部中央に形成された突起と、
を有することを特徴とする請求項１に記載した屈曲可能プロテクタ。
【請求項３】
前記ブロックは、前記フレキシブルフラット回路体に装着されることで、該フレキシブルフラット回路体により屈曲可能な連鎖状に連結されるそれぞれ独立したものであることを特徴とする請求項１または請求項２に記載した屈曲可能プロテクタ。
【請求項４】
前記ブロック各々は、フラットな底壁と一対の台形状の側壁とを有することで、断面略Ｕ字状に形成されており、前記底壁は、隣接する前記ブロックの辺同士を密着させて一列に配列できるよう、長方形板状に形成され、また、前記一対の側壁の上端には、内方に折れ曲がって互いに接近することで、前記配索材の抜けを防止する抜け止め壁が設けられていることを特徴とする請求項１〜請求項３のいずれか一項に記載した屈曲可能プロテクタ。
【発明の詳細な説明】
【技術分野】
【０００１】
本発明は、フレキシブルフラット回路体とその他の配索材を一緒に保護するための屈曲可能プロテクタに関するものである。
【背景技術】
【０００２】
ＦＰＣ（Flexible Printed Circuit）、ＦＦＣ（Flexible Flat Cable）、リボン電線、等のフレキシブルフラット回路体を保護するための屈曲可能プロテクタとして、図３に示すものが知られている（例えば、特許文献１参照）。
【０００３】
このプロテクタは、図３（ａ）に示すように、多数の角筒形のブロック２００を、ヒンジ２０５で屈曲自在に連結して連鎖状になし、内部に配索材２１０を収容するようにしたものであり、ヒンジ２０５は、各ブロック２００に設けたブラケット２０１、２０２の孔にピン２０３を通すことで構成されている。
【０００４】
【特許文献１】特開平９−３２２３５６号公報
【発明の開示】
【発明が解決しようとする課題】
【０００５】
ところで、図３に示した従来のプロテクタは、ブロック２００の内側の空洞に複数の配索材２１０を単純に装填するものであるため、配索材２１０同士が絡む可能性がある。例えば、配索材２１０としてフレキシブルフラット回路体と電線を混在させて配索するような場合、配索材２１０同士が絡みやすい上に、強度が低い配索材２１０が破断や摩耗する可能性もある。
【０００６】
本発明は、上述した事情に鑑みてなされたものであり、その目的は、配索材同士の絡みを防止し、配索材へのダメージを減らせる屈曲可能プロテクタを提供することにある。
【課題を解決するための手段】
【０００７】
前述した目的を達成するために、本発明に係る屈曲可能プロテクタは、下記（１）〜（４）を特徴としている。
（１）  保護しようとする帯板状のフレキシブルフラット回路体に沿って一列に配列され、その状態で屈曲可能な連鎖状に連結される断面略Ｕ字形の多数のブロックを備え、
前記ブロックの各々には、前記フレキシブルフラット回路体を収容する内底部側の第１の収容スペースと、それよりも上側の、他の電線を含む配索材を収容する第２の収容スペースとが設けられ、
更に前記ブロック各々の内底部には、該ブロックの前記第１の収容スペースに挿入された前記フレキシブルフラット回路体と係合する係合機構が設けられていること。
（２）  上記（１）の構成の屈曲可能プロテクタにおいて、
前記係合機構が、
前記第１の収容スペースに挿入された前記フレキシブルフラット回路体の両側縁と係合するために前記ブロック各々の内底部の両側部に形成された係合爪と、
前記フレキシブルフラット回路体の絶縁体に穿設した係止孔と係合するために前記ブロック各々の内底部中央に形成された突起と、
を有すること。
（３）  上記（１）または（２）の構成の屈曲可能プロテクタにおいて、
前記ブロックは、前記フレキシブルフラット回路体に装着されることで、該フレキシブルフラット回路体により屈曲可能な連鎖状に連結されるそれぞれ独立したものであること。
（４）  上記（１）〜（３）のいずれかの構成の屈曲可能プロテクタにおいて、
前記ブロック各々は、フラットな底壁と一対の台形状の側壁とを有することで、断面略Ｕ字状に形成されており、前記底壁は、隣接する前記ブロックの辺同士を密着させて一列に配列できるよう、長方形板状に形成され、また、前記一対の側壁の上端には、内方に折れ曲がって互いに接近することで、前記配索材の抜けを防止する抜け止め壁が設けられていること。
【０００８】
上記（１）の構成の屈曲可能プロテクタによれば、フレキシブルフラット回路体と、電線を含む配索材を、第１、第２の別の収容スペースにそれぞれ、互いに絡み合わないように収容し保護することができる。また、フレキシブルフラット回路体を屈曲させた場合は、フレキシブルフラット回路体の屈曲に追従して、連鎖状に連結されたブロックが自由に屈曲するので、屈曲箇所においても、フレキシブルフラット回路体を安全にプロテクタで保護することができる。その際、ブロックに設けた係合機構は、フレキシブルフラット回路体とブロックの一体性を保つことができる。
上記（２）の構成の屈曲可能プロテクタによれば、ブロックに設けた係合爪がフレキシブルフラット回路体のブロックからの抜け出しを防止し、そしてブロックに設けた突起がフレキシブルフラット回路体のブラケットに対する位置ズレを防止する機能を果たすため、フレキシブルフラット回路体とブロックの一体性をより確実に保つことができる。
上記（３）の構成の屈曲可能プロテクタによれば、ブロック同士の連結をフレキシブルフラット回路体で行なっているので、ヒンジ手段をブロック間に設ける必要がなく、部品構成の単純化および部品点数の削減を図ることができる。
上記（４）の構成の屈曲可能プロテクタによれば、断面略Ｕ字状の各ブロックの底壁を長方形板状に形成すると共に、一対の側壁を台形状に形成したので、底壁の辺同士を密着させた状態で一列に隙間なくブロックを配列することができ、それにより、独立したブロックを単純に繋げたものであっても、ブロック同士の繋がりに安定性を持たせることができ、フレキシブルフラット回路体に対する保護性能を高めることができる。また、屈曲箇所では、台形状の側壁の辺同士が接触することで、同様に高い安定性を持ってフレキシブルフラット回路体を保護することができる。また、側壁の上端に抜け止め壁を設けているので、第２の収容スペースに挿入した電線等の配索材を脱落しないように留めておくことができる。
【発明の効果】
【０００９】
本発明によれば、配索材同士の絡みを防止することができ、配索材へのダメージを減らすことができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１（ａ）は実施形態の屈曲可能プロテクタをフレキシブルフラット回路体に装着し、更に他の配索材として電線を配索した状態を示す斜視図、図１（ｂ）は同プロテクタを構成する１個のブロックに対してフレキシブルフラット回路体を係合させる箇所を示す斜視図、図２（ａ）はプロテクタを装着したフレキシブルフラット回路体を直線状に保ったときの側面図、そして図２（ｂ）は屈曲状態にしたときの側面図である。
【００１３】
このプロテクタは、保護しようとする帯板状のフレキシブルフラット回路体２０に沿って一列に配列され、その状態でフレキシブルフラット回路体２０に装着されることで、屈曲可能な連鎖状に連結される断面略Ｕ字形の多数のブロック１００を備えている。
【００１４】
各ブロック１００は、フラットな底壁１１０と一対の台形状の側壁１１２とを有することで、断面略Ｕ字状に形成されており、底壁１１０は、隣接するブロック１００の底壁１１０の辺同士を密着させて一列に配列できるよう、長方形板状に形成されている。また、一対の側壁１１２の上端には、内方に折れ曲がって互いに接近することで、内部に収容した配索材１０やフレキシブルフラット回路体２０の抜けを防止する抜け止め壁１１３が設けられている。
【００１５】
また、各ブロック１００の内部には、フレキシブルフラット回路体２０を収容する内底部側の第１の収容スペース１０１と、それよりも上側の、他の電線等の配索材１０を収容する第２の収容スペース１０２とが設けられている。尚、本実施形態における配索材１０は丸型電線である。
【００１６】
また、各ブロック１００の内底部の両側部には、第１の収容スペース１０１に挿入されたフレキシブルフラット回路体２０の両側縁を係合させる係合爪１１４が、係合機構の一部を形成するものとして設けられている。また、各ブロック１００の内底部の中央には、第１の収容スペース１０１に挿入されたフレキシブルフラット回路体２０の絶縁体に穿設した係止孔２５を係合させる突起１１５が、係合機構の一部を形成するものとして設けられている。係合爪１１４は、その下の凹部にフレキシブルフラット回路体２０の両側縁を嵌め込めるようにしたもので、フレキシブルフラット回路体２０の幅寸法に対応した間隔をもって一対設けられている。但し、フレキシブルフラット回路体２０の屈曲の際に支障とならないよう、ブロック１００の底壁１１０の長さに対して小さく形成されている。また、突起１１５と係合爪１１４は、フレキシブルフラット回路体２０の屈曲の際に支障とならないように、ブロック１００の本体１１０の長さ方向（屈曲方向）のほぼ同じ位置に配置されている。
【００１７】
また、この実施形態の場合、ブロック１００同士の間にピンやブラケット等のヒンジ手段は設けられていず、各ブロック１００は独立した部品となっており、ブロック１００をフレキシブルフラット回路体２０に装着することで、フレキシブルフラット回路体２０により屈曲可能な連鎖状に連結されるようになっている。
【００１８】
このプロテクタを使用する場合は、フレキシブルフラット回路体２０の両側縁を係合爪１１４に係合させると共に、フレキシブルフラット回路体２０の係止孔２５を突起１１５に係合させることで、一列に配列したブロック１００をフレキシブルフラット回路体２０に順次装着し、隣接するブロック１００の底壁１１０の辺同士を密着させる。こうすることで、各ブロック１００の第１の収容スペース１０１にフレキシブルフラット回路体２０が収容される。その上で、各ブロック１００の第２の収容スペース１０２に電線等のその他の配索材１０を収容する。
【００１９】
このようにすることで、多数のブロック１００をフレキシブルフラット回路体２０によって屈曲可能に連鎖状に連結することができると共に、フレキシブルフラット回路体２０および電線等の配索材１０を多数のブロック１００を備えたプロテクタによって保護することができる。しかも、この状態で、フレキシブルフラット回路体２０や電線等の配索材１０を内側（ブロック１００を装着した側と反対側）に屈曲させた場合、ブロック１００がフレキシブルフラット回路体２０や電線等の配索材１０の屈曲に柔軟に追従するので、屈曲箇所を安全に保護することができる。
【００２０】
以上のように、この屈曲可能プロテクタによれば、フレキシブルフラット回路体２０および電線等の配索材１０を、第１、第２の別の収容スペース１０１、１０２にてそれぞれ、互いに絡み合わないように収容し保護することができる。また、フレキシブルフラット回路体２０や電線等の配索材１０を屈曲させた場合は、フレキシブルフラット回路体２０および電線等の配索材１０の屈曲に追従して、連鎖状に連結されたブロック１００が自由に屈曲するので、屈曲箇所においても、フレキシブルフラット回路体２０や電線等の配索材１０を安全にプロテクタで保護することができる。その際、ブロック１００に設けた係合爪１１４は、フレキシブルフラット回路体２０のブロック１００からの抜け出しを防止し、突起１１５は、フレキシブルフラット回路体２０のブラケット１００に対する位置ズレを防止する機能を果たすため、フレキシブルフラット回路体２０とブロック１００の一体性を保つことができる。
【００２１】
また、このプロテクタでは、ブロック１００同士の連結をフレキシブルフラット回路体２０自体で行なっているので、ヒンジ手段をブロック１００間に設ける必要がなく、部品構成の単純化および部品点数の削減を図ることができる。
【００２２】
また、断面略Ｕ字状の各ブロック１００の底壁１１０を長方形板状に形成すると共に、一対の側壁１１２を台形状に形成しているので、底壁１１０の辺同士を密着させた状態で一列に隙間なくブロック１００を配列することができ、それにより、独立したブロック１００を単純に繋げたものであっても、ブロック１００同士の繋がりに安定性を持たせることができ、フレキシブルフラット回路体２０に対する保護性能を高めることができる。また、屈曲箇所では、台形状の側壁１１２の辺同士が接触することで、同様に高い安定性を持ってフレキシブルフラット回路体２０を保護することができる。また、側壁１１２の上端に抜け止め壁１１３を設けているので、第２の収容スペース１０２に挿入した電線等の配索材１０を脱落しないように留めておくことができる。
【００２３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２４】
例えば、ブロック１００間を何らかのヒンジ手段で連結してもよい。
【図面の簡単な説明】
【００２５】
【図１】（ａ）は本発明の実施形態の屈曲可能プロテクタをフレキシブルフラット回路体に装着し、更に他の配索材として電線を配索した状態を示す斜視図、そして（ｂ）は同プロテクタを構成する１個のブロックに対してフレキシブルフラット回路体を係合させる箇所を示す斜視図である。
【図２】（ａ）はプロテクタを装着したフレキシブルフラット回路体を直線状に保ったときの側面図、そして（ｂ）は屈曲状態にしたときの側面図である。
【図３】（ａ）は従来のプロテクタの構成図、そして（ｂ）は同プロテクタのヒンジ部分の分解斜視図である。
【符号の説明】
【００２６】
１０：電線等の配索材
２０：フレキシブルフラット回路体
２５：係止孔
１００：ブロック
１１０：底壁
１１２：側壁
１１３：抜け止め壁
１１４：係合爪
１１５：突起
【図１】
2009060731.tif 000003
【図２】
2009060731.tif 000004
【図３】
2009060731.tif 000005